(57)【要約】【課題】フリクション部材によって駆動軸と遊星レバーとの間にフリクションを与えることにより、シンプルかつコンパクトな構成の回転伝達装置及びその回転伝達装置を用いたカメラを提供する。【解決手段】スプールギア７４に噛合する遊星ギア７２は、遊星レバー６８に設けられている。遊星レバー６８は、スプール３４の回りを揺動自在に設けられている。スプール３４にはフリクションバネ７８が巻き付けられている。フリクションバネ７８は、一端が遊星レバー６８に連結されている。遊星レバー６８は、このフリクションバネ７８によって与えられるフリクションによって、スプール３４に連動して揺動する。【選択図】      図３
2005274961.tif 000002
【特許請求の範囲】
【請求項１】
駆動軸から被駆動軸に回転を任意に断続して伝達する回転伝達装置において、
前記駆動軸に設けられた駆動ギアと、
前記被駆動軸に設けられた被駆動ギアと、
前記駆動軸の回りを回転自在に支持された遊星レバーと、
前記遊星レバーに回転自在に支持されるとともに、前記駆動ギアに噛合された遊星ギアと、
前記駆動軸と前記遊星レバーとの間にフリクションを与えるフリクション部材と、
前記遊星ギアが、前記被駆動ギアに噛合する噛合位置と前記被駆動ギアから退避する退避位置との間で前記遊星レバーの回転を規制する規制部材と、
からなり、前記駆動軸を正回転させると、前記遊星レバーが前記フリクション部材を介して正回転し、前記噛合位置で前記遊星ギアが前記被駆動ギアに噛合して、前記駆動軸の回転が前記被駆動軸に伝達されるとともに、前記駆動軸を逆回転させると、前記フリクション部材を介して前記遊星レバーが逆回転し、前記退避位置で前記遊星ギアが前記被駆動ギアから退避して、前記駆動軸のみが前記フリクション部材からフリクションを与えられながら回転することを特徴とする回転伝達装置。
【請求項２】
前記フリクション部材は、コイル状に形成され、前記駆動軸の外周に巻き付けられるとともに、一端が前記遊星レバーに係止されて、前記駆動軸と前記遊星レバーとの間にフリクションを与えることを特徴とする請求項１に記載の回転伝達装置。
【請求項３】
請求項１又は２に記載の回転伝達装置によってスプールの回転をスプロケットに伝達するカメラであって、前記回転伝達装置の駆動軸に前記スプールが設けられるとともに、被駆動軸に前記スプロケットが設けられたことを特徴とするカメラ。
【発明の詳細な説明】
【技術分野】
【０００１】
本発明は、回転伝達装置及びその回転伝達装置を用いたカメラに係り、特にカメラのスプールとスプロケットとの間の回転伝達に使用される回転伝達装置及びその回転伝達装置を用いたカメラに関する。
【背景技術】
【０００２】
予備巻方式のカメラでは、フイルム装填時にフィルムパトローネに収容されているフイルムをスプールに巻き取り、撮影時にスプールからフィルムパトローネにフィルムをコマ送りすることによって、撮影済みのフイルムがフィルムパトローネ内に巻き取られるようにしている。
【０００３】
このような予備巻き方式のカメラでは、フィルムパトローネをパトローネ室に装填すると、あらかじめフィルムパトローネから所定長さ引き出されているフィルムのパーフォレーションにスプロケットが係合し、スプールのモータ駆動に伴なうスプスケットの回転でフイルムがフィルム巻取り室に送られて、スプールに巻き取られる。撮影時には、スプールを駆動するギアとフイルム給送モータとの間の係合が解除され、これに代えてフィルムパトローネ側がモータ駆動されることにより、フイルムがフィルムパトローネに向けてコマ送りされる。この際、スプール及びスプロケットはフリーな状態におかれ、これらがフイルムのコマ送りによって回されることとなる。
【０００４】
しかしながら、撮影時にスプールを完全にフリーな状態におくと、フイルムの巻き緩みが生じ、フイルムが余分に送り出されて、コマ間隔を正しく保持できなくなるという問題が生じる。
【０００５】
このため、スプールには、通常、所定のフリクションが与えられ、フィルムの巻き緩みが生じるのを防止している。このフリクションの付与方法として、たとえば特許文献１では、スプールに形成したスプールギアに遊星ギアを噛み合せ、この遊星ギアをスプロケットに形成したスプロケットギアに噛み合わせて、スプールの回転をスプロケットに伝達するとともに、撮影時には、遊星ギアを所定のフリクションが与えられたフリクションギアに噛み合せて、スプールに所定のフリクションを与えるようにしている。
【特許文献１】特公平８−２３６５６号公報
【発明の開示】
【発明が解決しようとする課題】
【０００６】
しかしながら、特許文献１の方式では、フリクションギアを設置しなければならないため、装置の構成が複雑かつ大型化するという欠点がある。
【０００７】
本発明は、このような事情に鑑みてなされたもので、シンプルかつコンパクトな構成の回転伝達装置及びその回転伝達装置を用いたカメラを提供することを目的とする。
【課題を解決するための手段】
【０００８】
請求項１に係る発明は、前記目的を達成するために、駆動軸から被駆動軸に回転を任意に断続して伝達する回転伝達装置において、前記駆動軸に設けられた駆動ギアと、前記被駆動軸に設けられた被駆動ギアと、前記駆動軸の回りを回転自在に支持された遊星レバーと、前記遊星レバーに回転自在に支持されるとともに、前記駆動ギアに噛合された遊星ギアと、前記駆動軸と前記遊星レバーとの間にフリクションを与えるフリクション部材と、前記遊星ギアが、前記被駆動ギアに噛合する噛合位置と前記被駆動ギアから退避する退避位置との間で前記遊星レバーの回転を規制する規制部材と、からなり、前記駆動軸を正回転させると、前記遊星レバーが前記フリクション部材を介して正回転し、前記噛合位置で前記遊星ギアが前記被駆動ギアに噛合して、前記駆動軸の回転が前記被駆動軸に伝達されるとともに、前記駆動軸を逆回転させると、前記フリクション部材を介して前記遊星レバーが逆回転し、前記退避位置で前記遊星ギアが前記被駆動ギアから退避して、前記駆動軸のみが前記フリクション部材からフリクションを与えられながら回転することを特徴とする回転伝達装置を提供する。
【０００９】
本発明によれば、駆動軸を正回転させると、遊星レバーがフリクション部材を介して正回転し、噛合位置で遊星ギアが被駆動ギアに噛合する。この結果、駆動軸の回転が、駆動ギアから遊星ギアを介して被駆動ギアに伝達され、被駆動軸が回転する。一方、駆動軸を逆回転させると、フリクション部材を介して遊星レバーが逆回転し、遊星ギアが被駆動ギアから退避して退避位置に位置する。この結果、駆動軸のみがフリクション部材からフリクションを与えられながら回転する。
【００１０】
また、請求項２に係る発明は、前記目的を達成するために、前記フリクション部材は、コイル状に形成され、前記駆動軸の外周に巻き付けられるとともに、一端が前記遊星レバーに係止されて、前記駆動軸と前記遊星レバーとの間にフリクションを与えることを特徴とする請求項１に記載の回転伝達装置を提供する。
【００１１】
本発明によれば、コイル状に形成され、一端が遊星レバーに係止されたフリクション部材の締め付け力によって、遊星レバーと駆動軸との間にフリクションが与えられる。これにより、省スペースな構成で所定のフリクションを遊星レバーと駆動軸との間に与えることができる。
【００１２】
また、請求項３に係る発明は、前記目的を達成するために、請求項１又は２に記載の回転伝達装置によってスプールの回転をスプロケットに伝達するカメラであって、前記回転伝達装置の駆動軸に前記スプールが設けられるとともに、被駆動軸に前記スプロケットが設けられたことを特徴とするカメラを提供する。
【００１３】
本発明によれば、請求項１又は２に記載の回転伝達装置がカメラのスプールとプロケットとの回転伝達に用いられる。これにより、カメラの構成をシンプルかつコンパクトにすることができる。
【発明の効果】
【００１４】
本発明に係る回転伝達装置及びその回転伝達装置を用いたカメラによれば、回転伝達装置及びその回転伝達装置を用いたカメラの構成をシンプルかつコンパクトにすることができる。
【発明を実施するための最良の形態】
【００１５】
以下、添付図面に従って本発明に係る回転伝達装置及びその回転伝達装置を用いたカメラを実施するための最良の形態について詳説する。
【００１６】
図１は、本発明に係る回転伝達装置を用いたカメラの構成を示す背面斜視図である。このカメラ１０は、予備巻き方式のカメラであり、フィルムが装填されると、一旦フィルムがスプールに巻き取られ、撮影時に１コマずつフィルムパトローネに巻き戻される。また、このカメラ１０は、フィルムパトローネの装填方式として逆装填ＤＩＬ方式を採用しており、パトローネ軸が突出した方からフィルムパトローネをパトローネ室に落とし込むようにして装填する。使用するフィルムは１３５フィルムである。
【００１７】
１３５フィルムのフィルムパトローネ１は、パトローネ本体２とパトローネ軸３とで構成されている。パトローネ本体２は、円筒状に形成されており、その外周にフィルム４を接線方向に繰り出すフィルム送出口２Ａが形成されている。パトローネ軸３は、パトローネ本体２の中心に回動自在に支持されており、その一端がパトローネ本体３の一端から突出して設けられている。フィルム４は、帯状に形成されており、その両縁部に一定ピッチでパーフォレーション５、５、…が形成されている。未使用の状態において、フィルム４はパトローネ軸３に巻き付けられた状態でパトローネ本体２に収容されている。そして、その先端に形成されたフィルムリーダ４Ａの部分がフィルム送出口２Ａから所定量引き出されている。フィルムリーダ４Ａの部分には、切欠き４Ｂが形成されており、逆装填ＤＩＬ方式の場合、この切欠き４Ｂが形成されていない方からフィルムパトローネ１がパトローネ室に装填される。
【００１８】
カメラ１０の背面には、図１に示すように、裏蓋１２が開閉自在に設けれられている。裏蓋１２は、外装カバー１４と共にカメラ本体１６の外装をなし、ヒンジ１８によってカメラ本体１６に開閉自在に設けられている。この裏蓋１２は、裏蓋本体１２Ａと底蓋部１２Ｂとからなり、裏蓋本体１２Ａによって、カメラ本体１６の背面が覆われ、底蓋部１２Ｂによって、カメラ本体１６の底面に形成されたパトローネ装填口が覆われる。
【００１９】
カメラ本体１６の背面には、フィルム４が走行するフィルム走行面２０が形成されている。フィルム走行面２０には、フィルム４の露光範囲を規制するアパーチャ２２が形成されている。また、フィルム走行面２０には、アパーチャ２２の上辺及び下辺に沿ってガイドレール２４、２４が設けられている。フィルム４は、このガイドレール２４、２４上を裏蓋本体１２Ａの内側に設けられた圧板２６に押さえ付けられながら走行する。
【００２０】
アパーチャ２２の右側にはフィルムパトローネ１を装填するパトローネ室２８が設けられており、左側にはフィルム４を巻き取るフィルム巻取り室３０が設けられている。
【００２１】
パトローネ室２８は、底面にパトローネ装填口２８Ａを有しており、このパトローネ装填口２８Ａからフィルムパトローネ１がパトローネ軸３に沿って挿入される。また、パトローネ室２８には巻き戻しフォーク３２が設けられており、パトローネ室２８に装填されたフィルムパトローネ１は、この巻き戻しフォーク３２にパトローネ軸３が嵌合される。そして、この巻き戻しフォーク３２にパトローネ軸３が回転駆動されることにより、フィルム４がパトローネ本体２に巻き戻される。
【００２２】
一方、フィルム巻取り室３０には、フィルム４を巻き取るスプール３４が設けられている。スプール３４には、上端部外周に複数の引っ掛け爪３４Ａが周方向に一定ピッチで形成されており、この引っ掛け爪３４Ａにフィルム４のパーフォレーション５が係合して、フィルム４が巻き付けられる。
【００２３】
フィルムパトローネ１をパトローネ室２８に装填する場合は、パトローネ軸３が突出した方からフィルムパトローネ１をパトローネ装填口２８Ａに挿入し、パトローネ軸３に沿ってパトローネ室２８に落とし込むようにして、フィルムパトローネ１をパトローネ室２８に装填する。
【００２４】
フィルムパトローネ１をパトローネ室２８に装填すると、あらかじめフィルム送出口２Ａから引き出されているフィルムリーダ４Ａの部分が、アパーチャ２２の上にセットされ、そのフィルムリーダ４Ａの先端がフィルム巻取り室３０の上に位置する。
【００２５】
ここで、アパーチャ２２とフィルム巻取り室３０との間には、スプロケット３６が配設されており、アパーチャ１４上にセットされたフィルムリーダ４Ａは、このスプロケット３６の歯３６Ａにパーフォレーション５が噛み合わされる。スプロケット３６は、上側のガイドレール２４の終端位置に形成された貫通穴３８から突出して設けられており、スプール３４から回転が伝達されて回転する。
【００２６】
スプール３４からスプロケット３６への回転伝達は回転伝達装置５０にて行なわれ、回転伝達装置５０は、スプール３４の回転方向に応じて回転を断続してスプロケット３６に伝達する。すなわち、スプール３４がフィルム４を巻き取る方向に回転されると、その回転をスプロケット３６に伝達して、スプロケット３６をスプール３４と同じ方向に回転させ、スプール３４がフィルム４を繰り出す方向に回転されると、スプロケット３６への回転の伝達を遮断し、スプロケット３６をフリーにする。この際、回転伝達装置５０は、フィルム４の巻き緩みを防止すべく、スプール３４に所定のフリクションを与える。
【００２７】
図２は、回転伝達装置を含むスプールと巻き戻しフォークの回転駆動部の構成を示す斜視図である。
【００２８】
同図に示すように、スプール３４は下端に拡径部３４Ｂを有している。この拡径部３４Ｂは円盤状に形成されており、カメラ本体１６に形成されたスプール支持部５２に回転自在に支持されている。
【００２９】
また、スプール３４は中空状に形成されており、その内側には図示しないモータが配置されている。このモータの回転は、スプール支持部５２の内側に配設された図示しない出力切替機構によって、スプール側と巻き戻しフォーク側とに選択的に伝達される。出力切替機構は、モータの回転方向に応じて出力先を切り替え、モータを正回転させると、スプール側にモータの回転を伝達し、逆回転させると、巻き戻しフォーク側にモータの回転を伝達する。
【００３０】
ここで、スプール３４の拡径部３４Ｂの内周部には、図示しない内歯が形成されており、出力切替機構によってスプール側にモータの回転を出力すると、この内歯に図示しないギアを介してモータの回転が伝達され、スプール３４が時計回り（図２の矢印Ａ方向）に回転する。
【００３１】
一方、巻き戻しフォーク側にモータの回転が伝達されると、ギア列５４にモータの回転が伝達される。そして、ギア列５４からシャフト５６の下端部に設けられたギア５６Ａに回転が伝達され、シャフト５６が回転する。シャフト５６の上端部には、ギア５６Ａが設けられており、このギア５６Ｂからアイドルギア５８を介して巻き戻しフォーク３２に形成されたギア６０にシャフト５６の回転が伝達され、巻き戻しフォーク３２が反時計回り（図２の矢印Ｂ方向）に回転する。
【００３２】
図３〜図５は、それぞれスプールの回転をスプロケットに伝達する回転伝達装置の構成を示す斜視図、平面図、縦断面図である。
【００３３】
図５に示すように、スプール３４は、上端に縮径部３４Ｃを有している。この縮径部３４Ｃの端面には、軸受穴３４ｃが形成されており、この軸受穴３４ｃにはスプール支軸６２Ａが嵌入されている。スプール支軸６２Ａは、カメラ本体１６の上面部に取り付けられた上フレーム６２に一体成形されており、スプール３４は、このスプール支持軸６２Ａの回りを回転する。
【００３４】
また、このスプール３４の縮径部３４Ｃは、フィルム巻取り室３０の上面に形成された穴６４に嵌入されて、カメラ本体１６の上方に突出して設けられている。穴６４は、スプール支軸６２Ａと同軸上に形成されており、その上縁部には環状の軸受部６６が一体的に形成されている。この軸受部６６には、遊星レバー６８が回転自在に支持されている。
【００３５】
遊星レバー６８は、環状に形成された遊星レバー本体６８Ａと、その遊星レバー本体６８Ａから水平に延びるアーム部６８Ｂとで構成されている。
【００３６】
遊星レバー本体６８Ａは、軸受部６６に嵌合されて、回転自在に支持されており、これにより、遊星レバー６８がスプール３４の縮径部３４Ｃの回りを回転する。
【００３７】
アーム部６８Ｂは、その先端上部に回転軸７０を有しており、この回転軸７０には遊星ギア７２が回転自在に支持されている。遊星ギア７２は、スプール３４の縮径部３４Ｃに形成されたスプールギア７４に噛合されている。
【００３８】
また、この回転軸７０の上端部は、上フレーム６２に形成された長穴６２Ｂに嵌入されている。長穴６２Ｂは、スプール支軸６２Ａを中心とする円弧状に形成されており、回転軸７０は、遊星レバー６８の回転に伴って、この長穴６２Ｂ内を移動する。そして、この長穴６２Ｂの端部に回転軸７０が当接することにより、遊星レバー６８の回転範囲が規制され、遊星レバー６８が所定の角度範囲で揺動する。
【００３９】
なお、この遊星レバー６８の揺動範囲は、後述するように、遊星ギア７２がスプロケットギア７６と噛合する位置（噛合位置）と、遊星ギア７２がスプロケットギア７６から離れる位置（退避位置）との間を揺動するように規制される。
【００４０】
スプロケット３６は、その軸部３６Ｂがカメラ本体１６に形成された図示しないスプロケット支持部に回転自在に支持されている。軸部３６Ｂには、スプロケットギア７６が固着されており、このスプロケットギア７６に遊星ギア７２が噛合することにより、スプール３４の回転がスプロケット３６に伝達される。
【００４１】
遊星ギア７２は、遊星レバー６８が揺動することにより、スプロケットギア７６に噛合したり、スプロケットギア７６から離れたりする。遊星レバー６８は、スプール３４との間に与えられるフリクションによってスプール３４に連動して揺動し、これにより、遊星ギア７２がスプロケットギア７６に噛合したり、スプロケットギア７６から離れたりする。この遊星レバー６８とスプール３４との間に与えられるフリクションは、スプール３４に巻き付けられたフリクションバネ７８によって与えられる。
【００４２】
フリクションバネ７８は、コイル状に形成されており、スプール３４に形成された縮径部３４Ｃの基端部外周に巻き付けられている。このフリクションバネ７８の内径は縮径部３４Ｃの外径よりも若干小さく形成されており、縮径部３４Ｃの外周を締め付けるようにして、縮径部３４Ｃに装着されている。
【００４３】
また、このフリクションバネ７８の一端は、上方に向けて屈曲して設けられており、この屈曲部７８Ａに遊星レバー６８に形成された連結部６８Ｃが連結されている。連結部６８Ｃは、遊星レバー本体６８の内周部に突出して設けられており、フリクションバネ７８の屈曲部７８Ａが嵌入されるスリット６８ｃを有している。縮径部３４Ｃに巻き付けられたフリクションバネ７８は、この連結部６８Ｃのスリット６８ｃに屈曲部７８Ａが嵌入されることにより、遊星レバー６８に連結される。
【００４４】
前記のごとく構成された本実施の形態の回転伝達装置を含むスプールと巻き戻しフォークの回転駆動部の作用は次のとおりである。
【００４５】
本実施の形態のカメラは、予備巻き方式のカメラであるから、フィルムパトローネ１をパトローネ室２８に装填すると、フィルムパトローネ１に収容されているフィルム４が、一度全てスプール３４に巻き取られる。このフィルム４の巻き取りは次のように行なわれる。
【００４６】
上記のように、フィルムパトローネ１をパトローネ室２８に装填すると、あらかじめフィルム送出口２Ａから引き出されているフィルムリーダ４Ａがアパーチャ２２の上にセットされる。これと同時にフィルムリーダ４Ａに形成されているパーフォレーション５にスプロケット３６の歯３６Ａが噛み合わされる。この状態で裏蓋１２を閉じると、モータが正方向に回転駆動される。
【００４７】
モータが正方向に回転駆動されると、出力切替機構により、モータの回転がスプール側に伝達され、スプール３４が正方向（図中Ａ方向）に回転する。
【００４８】
スプール３４が正方向に回転すると、フリクションバネ７８を介してスプール３４と連結された遊星レバー６８が、フリクションバネ７８によって与えられるフリクションによりスプール３４に連れ回りし、正方向（図中Ａ方向）に揺動する。この結果、遊星ギア７２がスプロケットギア７６に向かって移動し、所定位置（噛合位置）でスプロケットギア７６と噛合する。そして、遊星ギア７２がスプロケットギア７６に噛合することにより、スプール３４の回転が、遊星ギア７２を介してスプロケットギア７６に伝達され、スプロケット３６が正方向（図中Ａ方向）に回転する。
【００４９】
フィルムリーダ４Ａは、この回転するスプロケット３６によってフィルム巻取り室３０に送られる。そして、フィルム巻取り室３０に送られたフィルムリーダ４Ａは、正方向に回転するスプール３４の引っ掛け爪３４Ａにパーフォレーション５が嵌合し、スプール３４に巻き付けられる。なお、この際、スプール３４は、遊星ギア７２がスプロケットギア７６に噛合して、遊星レバー６８の揺動が止められることにより、フリクションバネ７８からフリクションを与えられながら回転する。
【００５０】
このようにしてフィルム４をスプール３４に巻き取り、パーフォレーション１に収容されているフィルム４が全てスプール３４に巻き取られたところで、モータの回転が停止される。これにより、撮影が可能になる。
【００５１】
撮影時は、スプール３４に巻き付けられたフィルム４が、１コマずつフィルムパトローネ１に巻き戻される。フィルムパトローネ１へのフィルム４の巻き戻しは、モータを逆方向に回転駆動することにより行なわれる。
【００５２】
モータを逆方向に回転させると、出力切替機構によってモータの出力先が切り替わり、巻き戻しフォーク３２が逆方向（図中Ｂ方向）に回転駆動される。
【００５３】
巻き戻しフォーク３２が逆方向に回転駆動されると、フィルム４がフィルムパトローネ１に巻き戻される。フィルム４がフィルムパトローネ１に巻き戻されると、そのフィルム４に引っ張られて、スプール３４が逆方向に回転する。そして、スプール３４が逆方向に回転することにより、フリクションバネ７８を介して遊星レバー６８が逆方向（図中Ｂ方向）に揺動し、遊星ギア７２がスプロケットギア７６から離れる方向に移動する。
【００５４】
逆方向に揺動した遊星レバー６８は、遊星ギア７２の回転軸７０が長穴６２Ｂの端部に当接することにより、揺動が規制される。これにより、遊星ギア７２がスプロケットギア７６から完全に退避した退避位置に位置し、スプロケット３６がフリーな状態になる。
【００５５】
一方、スプール３４は、遊星レバー６８の揺動が規制されることにより、フリクションバネ７８からフリクションが与えられながら回転し続け、１コマ分のフィルム４がフィルムパトローネ１に巻き戻されたところで、回転が停止される。
【００５６】
以後、スプール３４は、フィルム４が１コマ分巻き戻されるたびに、このフリクションバネ７８からフリクションが与えられながら回転する。そして、このようにフリクションバネ７８からフリクションが与えられながら回転することにより、巻き緩みを生じさせることなく、フィルム４を１コマずつ繰り出すことができる。
【００５７】
以上説明したように、本実施の形態の回転伝達装置によれば、スプール３４に巻き付けられたフリクションバネ７８を介して遊星レバー６８とスプール３４との間にフリクションが与えられる。これにより、構成がシンプルになり、カメラ本体のコンパクト化を図ることができる。
【００５８】
また、比較的強いフリクションを与えることができるので、遊星レバー６８の作動力を強めることができ、余裕ある作動が可能になる。
【００５９】
なお、本実施の形態では、本発明に係る回転伝達装置をカメラのスプールとスプロケットとの間の回転伝達に使用した場合を例に説明したが、本発明の適用は、これに限定されるものではなく、駆動軸の回転を被駆動軸に任意に断続して伝達する構成のものであれば、同様に適用することができる。特に駆動軸にもフリクションが必要な場合、本発明は有効に作用する。
【図面の簡単な説明】
【００６０】
【図１】本発明が適用されたカメラの構成を示す背面斜視図
【図２】回転伝達装置を含むスプールと巻き戻しフォークの回転駆動部の構成を示す斜視図
【図３】回転伝達装置の構成を示す斜視図
【図４】回転伝達装置の構成を示す平面図
【図５】回転伝達装置の構成を示す縦断面図
【符号の説明】
【００６１】
１…フィルムパトローネ、２…フィルムパトローネ本体、２Ａ…フィルム送出口、３…パトローネ軸、４…フィルム、４Ａ…フィルムリーダ、４Ｂ…切欠き、５…パーフォレーション、１０…カメラ、１２…裏蓋、１６…カメラ本体、２０…フィルム走行面、２２…アパーチャ、２４…ガイドレール、２８…パトローネ室、２８Ａ…パトローネ装填口、３０…フィルム巻取り室、３２…巻き戻しフォーク、３４…スプール、３４Ａ…引っ掛け爪、３４Ｂ…拡径部、３４Ｃ…縮径部、３４ｃ…軸受穴、３６…スプロケット、３６Ａ…歯、３８…貫通穴、５０…回転伝達装置、５２…スプール支持部、５４…ギア列、５６…シャフト、５６Ａ…ギア、５６Ｂ…ギア、５８…アイドルギア、６０…ギア、６２…上フレーム、６２Ａ…スプール支軸、６２Ｂ…長穴、６４…穴、６６…軸受部、６８…遊星レバー、６８Ａ…遊星レバー本体、６８Ｂ…アーム部、６８Ｃ…連結部、６８ｃ…スリット、７０…回転軸、７２…遊星ギア、７４…スプールギア、７６…スプロケットギア、７８…フリクションバネ、７８Ａ…屈曲部
【図１】
2005274961.tif 000003
【図２】
2005274961.tif 000004
【図３】
2005274961.tif 000005
【図４】
2005274961.tif 000006
【図５】
2005274961.tif 000007